(57)【要約】【課題】開口部から放音される音の設置方向による音質変化を抑制することができるスピーカ装置を提供する。【解決手段】複数のスピーカユニットＳＰを収納する筐体１０に、箱型形状を構成する辺のうちの最も短い４つの辺１２ａ〜１２ｄの一つである辺１２ａの両端にある２つの頂点１３ａ及び１３ｂを切り欠く切欠面１４を持たせる。その切欠面１４に、開口部１１を設ける。複数のスピーカユニットＳＰは、切欠面１４を挟んで隣接する２面１５ａ及び１５ｂに配設されている。【選択図】      図２
2004282309.tif 000002
【特許請求の範囲】
【請求項１】
スピーカユニットと、該スピーカユニットを収納する筐体と、該筐体に設けた開口部とを備えたスピーカ装置であって、
前記筐体は、箱型形状の頂点を切り欠く切欠面を有し、
前記切欠面に、前記開口部が設けられている
ことを特徴とするスピーカ装置。
【請求項２】
請求項１記載のスピーカ装置であって、
前記筐体は、箱型形状を構成する一辺の両端にある２つの頂点を切り欠く切欠面を有し、
前記切欠面に、前記開口部が設けられている
ことを特徴とするスピーカ装置。
【請求項３】
請求項２記載のスピーカ装置であって、
前記筐体は、箱型形状を構成する辺のうちの最も短い４つの辺の何れか一辺の両端にある２つの頂点を切り欠く切欠面を有し、
前記切欠面に、前記開口部が設けられている
ことを特徴とするスピーカ装置。
【請求項４】
請求項１〜３何れか１項記載のスピーカ装置であって、
前記スピーカユニットを複数備え、
前記複数のスピーカユニットは、前記筐体の少なくとも２面に配設されている
ことを特徴とするスピーカ装置。
【請求項５】
請求項４記載のスピーカ装置であって、
前記複数のスピーカユニットは、前記筐体の最も面積が大きい２面を除いた面のうちの少なくとも２面に配設されている
ことを特徴とするスピーカ装置。
【請求項６】
請求項４又は５記載のスピーカ装置であって、
前記複数のスピーカユニットは、前記筐体の前記切欠面を挟んで隣り合った２面に配設されている
ことを特徴とするスピーカ装置。
【請求項７】
請求項４〜６何れか１項記載のスピーカ装置であって、
前記スピーカユニットが配設されている前記筐体の配設面には、各々少なくとも２つ以上のスピーカユニットが配設されている
ことを特徴とするスピーカ装置。
【請求項８】
請求項４〜７何れか１項記載のスピーカ装置であって、
前記複数のスピーカユニットは同一の信号を再生する
ことを特徴とするスピーカ装置。
【請求項９】
請求項１〜８何れか１項記載のスピーカ装置であって、
外部からの信号を入力する外部入力端子をさらに備え、
前記スピーカユニットは、前記外部入力端子を通じて供給される信号を再生する
ことを特徴とするスピーカ装置。
【請求項１０】
請求項１〜９何れか１項記載のスピーカ装置であって、
前記開口部は、ダクト用、ホーン用又はヘルムホルツ共振管用の開口部として用いられている
ことを特徴とするスピーカ装置。
【請求項１１】
請求項１〜１０何れか１項記載のスピーカ装置であって、
サブウーハとして用いられる
ことを特徴とするスピーカ装置。
【発明の詳細な説明】
【０００１】
【発明の属する技術分野】
この発明は、スピーカ装置に係わり、特に、筐体に開口部が設けられているスピーカ装置に関する。
【０００２】
【従来の技術】
スピーカ装置として、スピーカユニットを収納する箱型の筐体に開口部を設け、開口部から放音させるものがある。このような、開口部が設けられたスピーカ装置として、図１に示すようなものが、非特許文献１に記載されている。同図に示すように、スピーカ装置は、箱型の筐体１０の一面に複数のスピーカユニットＳＰが一列に配設されると共に、スピーカユニットＳＰが設けられている面と対向する一面に開口部１１が設けられている。
【０００３】
上記のように筐体１０の一面に開口部１１を設けると、開口部１１から放射される音が箱型筐体１０の一面の正面側にしか出力されないため、設置方向によって音質が大きく変化してしまうという問題があった。
【０００４】
【非特許文献１】
山本武夫著「スピーカ・システム（下）」ラジオ技術社、Ｐ４５９の図１４・１７
【０００５】
【発明が解決しようとする課題】
【０００６】
本発明が解決しようとする課題には、上記した問題が一例として挙げられる。
【０００７】
【課題を解決するための手段】
上記課題を解決するためになされた請求項１記載の発明は、スピーカユニットと、該スピーカユニットを収納する筐体と、該筐体に設けた開口部とを備えたスピーカ装置であって、前記筐体は、箱型形状の頂点を切り欠く切欠面を有し、前記切欠面に、前記開口部が設けられていることを特徴とするスピーカ装置に存する。
【０００８】
【発明の実施の形態】
実施の形態
この発明のスピーカ装置は、スピーカユニットと、このスピーカユニットを収納する筐体と、この筐体に設けた開口部とを備え、筐体が、箱型形状の頂点を切り欠く切欠面を有し、その切欠面に開口部を設けて、構成している。
【０００９】
上記構成のスピーカ装置によれば、箱型形状の頂点を切り欠く切欠面に、開口部が設けられているので、開口部からの音が、箱型筐体の少なくとも２面に対して斜め方向に放音されるため、設置方向による音質変化を抑制することができる。
【００１０】
また、上述したスピーカ装置において、筐体が、箱型形状を構成する一辺の両端にある２つの頂点を切り欠く切欠面を有し、その切欠面に、開口部を設けることも考えられる。
【００１１】
また、上述したスピーカ装置において、筐体が、箱型形状を構成する辺のうちの最も短い４つの辺のいずれかに一辺の両端にある２つの頂点を切り欠く切欠面し、その切欠面に、開口部を設けることも考えられる。
【００１２】
また、上述したスピーカ装置において、スピーカユニットを複数備え、複数のスピーカユニットを、筐体の少なくとも２面に配設することも考えられる。
【００１３】
また、上述したスピーカ装置において、複数のスピーカユニットを、筐体の最も面積が大きい２面を除いた面のうちの少なくとも２面に配設することも考えられる。
【００１４】
また、上述したスピーカ装置において、複数のスピーカユニットを、筐体の切欠面を挟んで隣り合った２面に配設することも考えられる。
【００１５】
また、上述したスピーカ装置において、スピーカユニットが配設されている筐体の配設面に、各々少なくとも２つ以上のスピーカユニットを配設することも考えられる。
【００１６】
また、上述したスピーカ装置において、複数のスピーカユニットに同一の信号を再生させるようにすることも考えられる。
【００１７】
また、上述したスピーカ装置は、外部からの信号を入力する外部入力端子をさらに備え、複数のスピーカユニットは、外部入力端子を通じて供給される信号を再生するものであることが考えられる。
【００１８】
また、上述したスピーカ装置において、開口部は、ダクト用、ホーン用又はヘルムホルツ共振管用として用いられるものであることが考えられる。
【００１９】
さらに、上述したスピーカ装置を、サブウーハとして用いることも考えられる。
【００２０】
実施例
図２は、本発明のスピーカ装置の一実施の形態を示す斜視図である。図３（ａ）〜（ｃ）は、図２のスピーカ装置の正面図、断面図及び天面図である。
このスピーカ装置は、バスレフ型であり、例えば、サブウーハ（低音再生専用のスピーカ装置）として用いられている。同図に示すように、スピーカ装置は、筐体１０と、この筐体１０に配設され、かつ、図示しない外部入力端子を通じて供給される同一の信号を再生する複数のスピーカユニットＳＰとを備えている。
【００２１】
筐体１０には、箱型形状を構成する辺のうちの最も短い４つの辺１２ａ〜１２ｄの１つである辺１２ａの両端にある２つの頂点１３ａ及び１３ｂを切り欠く切欠面１４が設けられている。そして、この切欠面１４には、バスレフのダクト１６（図３（ｂ）参照）用の開口部１１が設けられ、これにより筐体１０の内部が共振を起こし、低音特性が増強される。
【００２２】
また、上述した上述したスピーカ装置は、正面側の配設面１５ａに３つのスピーカユニットＳＰが、天面側の配設面１５ｂに２つのスピーカユニットＳＰがそれぞれ一列に配設されている。上述した配設面１５ａ及び１５ｂは、筐体１０の最も面積が大きい２面１５ｃ及び１５ｄを除いた面であり、かつ、切欠面１４を挟んで隣り合う面である。
【００２３】
上述したように切欠面１４に開口部１１を設けることにより、開口部１１からの音が、配設面１５ａや、配設面１５ｂに対して斜め方向に放音されるため、配設面１５ａの正面側から聞いても、配設面１５ｂの正面側から聞いても、開口部１１からの音質に変化がない。このため、設置方向による音質変化を抑制することができる。
【００２４】
また、箱型形状を構成する辺のうちの最も短い４つの辺１２ａ〜１２ｄの一つである辺１２ａの両端にある２つの頂点１３ａ及び１３ｂを切り欠く切欠面１４に開口部１１を設けることにより、例えば、図４に示すように、壁や本といった障害物２０に挟まれた幅の狭い場所にスピーカ装置を設置する場合であって、開口部１１が障害物２０により塞がれ、開口部１１からの音が遮断されるということがない。
【００２５】
また、上述したように、筐体１０の少なくとも２面にスピーカユニットＳＰを配設することにより、複数のスピーカユニットＳＰを一面に配設する場合に比べて、一つの配設面を大きくする必要がなく、レイアウトフリーなスピーカ装置を得ることができる。しかも、少なくとも２面以上から音が出力されるため、設置方向による音質変化をより一層抑制することができる。
【００２６】
また、筐体１０の最も面積が大きい２面１５ｃ及び１５ｄを除いた面を、スピーカユニットＳＰの配設面とすることにより、図４に示すように、壁や本といった障害物２０に挟まれた幅の狭い場所にスピーカ装置を設置する場合であっても、スピーカユニットＳＰが障害物２０により塞がれ、音が遮断されるということがない。
【００２７】
さらに、切欠面１４を挟んで隣り合った２面１５ａ及び１５ｂを、スピーカユニットＳＰの配設面とすることにより、配設面１５ａの背面側にも障害物があるような場所であっても、スピーカユニットＳＰが塞がれることがない。
【００２８】
ところで、従来、サブウーハには、高い低音再生能力を得るために、大きなスピーカユニットＳＰが用いられていた。しかしながら、本実施例のように、同じ音を再生するスピーカユニットＳＰを複数配設することにより、スピーカユニットＳＰとして小型のものを用いても高い低音再生能力を確保することができる。
【００２９】
しかも、小型のスピーカユニットＳＰを用いることにより、振動系重量を軽くし、反応の良い音質を確保することができると共に、１個のスピーカユニットＳＰ当たりの入力を低減することができるため、耐入力の向上を図ることができる。さらに、複数のスピーカユニットＳＰは、図２及び図３に示すように、筐体１０の２面に配設されているため、高い低音再生能力を確保しつつ、スリムな形状のスピーカ装置を実現することができる。
【００３０】
なお、上述した実施例では、切欠面１４に１つのダクト１６用の開口部１１が設けられていた。しかしながら、開口部１１やダクト１６の数、ダクト１６の形状は上述した実施例に限ったものでなく、例えば、開口部１１やダクト１６を２つ以上設けたり、ダクト１６を折り曲げ形状にして、ダクト１６の共振を抑制したりすることも考えられる。
【００３１】
また、上述した実施例では、ダクト１６用の開口部１１を設けていたが、例えば、ダクト１６の代わりにヘルムホルツ共振管を設け、このヘルムホルツ共振管用の開口部１１を切欠面１４に設けることも考えられる。さらに、ダクト１６の代わりにホーンを設け、ホーン用の開口部１１とすることも考えられる。何れの場合も、切欠面１４に開口部１１を設けることにより、上述した実施例と同様の効果を得ることができる。
【００３２】
また、上述した実施例では、一つの配設面に２つ以上のスピーカユニットＳＰが配設されている。しかしながら、一つの配設面に一つのスピーカユニットＳＰを配設することも考えられる。
【００３３】
また、上述した実施例では、切欠面１４を挟んで隣り合った２面にスピーカユニットＳＰを配設していた。しかしながら、例えば、図５（ａ）及び（ｂ）に示すように、切欠面１４を挟んで隣り合った２面以外の面にスピーカユニットＳＰを配設することも考えられる。
【００３４】
また、上述した実施例では、箱型形状を構成する辺のうちの最も短い４つの辺１２ａ〜１２ｄの一つである辺１２ａの両端にある２つの頂点１３ａ及び１３ｂを切り欠く切欠面１４ａに開口部１１を設けていた。しかしながら、例えば、図６に示すように、１つの頂点１３ｂを切り欠く切欠面１４に開口部１１を設けることも考えられる。
【００３５】
この場合、開口部１１からの音が、３面１５ａ、１５ｂ及び１５ｃに対して斜め方向に放音される。このため、それぞれの面の正面側から聞いても、開口部１１からの音質の変化はあまりない。但し、図４に示すように、障害物２０に挟まれた幅の狭い場所にスピーカ装置を設置する場合は、図４に示すような切欠面１４では、開口部からの音が、障害物２０に向かっても放音されてしまうため、図２及び図３に示すように一辺の両端にある２つの頂点を切り欠いた切欠面１４に開口部１１を設ける方が好ましい。
【００３６】
以上実施例に基づいて本発明を説明したが、本発明は上述した実施例に限定されるものでなく、本発明の要旨の範囲内で、上述したように種々の変形や応用が可能である。ここで、実施例の要旨をまとめると以下のようになる。
上記実施例に示すスピーカ装置は、要するに、スピーカユニットＳＰと、スピーカユニットＳＰを収納する筐体１０と、筐体１０に設けた開口部１１とを備えたスピーカ装置であって、筐体１０は、箱型形状の頂点を切り欠く切欠面１４を有し、切欠面１４に、開口部１１が設けられて、構成されている。
【００３７】
上記構成のスピーカ装置によれば、箱型形状の頂点１３ａ及び１３ｂを切り欠く切欠面１４に、開口部１１が設けられているので、開口部１１からの音が、箱型筐体の少なくとも２面１５ａ及び１５ｂに対して斜め方向に放音されるため、設置方向による音質変化を抑制することができる。
【００３８】
【図面の簡単な説明】
【図１】従来のスピーカ装置の一例を示す図である。
【図２】本発明のスピーカ装置の一実施の形態を示す斜視図である。
【図３】（ａ）〜（ｃ）は、図２のスピーカ装置の正面図、断面図及び天面図である。
【図４】図２のスピーカ装置の設置場所の一例を示す図である。
【図５】本発明の他の実施例におけるスピーカ装置の断面図である。
【図６】本発明の他の実施例におけるスピーカ装置の斜視図である。
【符号の説明】
ＳＰ            スピーカユニット
１０            筐体
１１            開口部
１２ａ〜１２ｄ  辺
１３ａ、１３ｂ  頂点
１４            切欠面
１５ａ、１５ｂ  配設面
１６            ダクト
【図１】
2004282309.tif 000003
【図２】
2004282309.tif 000004
【図３】
2004282309.tif 000005
【図４】
2004282309.tif 000006
【図５】
2004282309.tif 000007
【図６】
2004282309.tif 000008